(57)【要約】【課題】携帯端末装置の所定の機能を制限でき、不正な制限解除を防ぐこと。【解決手段】所定の制御信号の受信により、プロセッサ２０１と所定の機能部２１１との間を接続する機能制限スイッチ２１２に対して遮断の制御を行い、自装置が有する所定の機能部２１１の動作を制限するＮＦＣ部２０３を有する。機能制限スイッチ２１２は、遮断時に所定の機能部２１１に対する電源供給を遮断したり、リセット信号を供給し続けたり、プロセッサ２０１との間の通信Ｉ／Ｆを遮断したりする。【選択図】図２
2016082405.tif 000002
【特許請求の範囲】
【請求項１】
所定の制御信号の受信により、プロセッサと所定の機能部との間を接続するハードウェアスイッチに対して遮断の制御を行い、自装置が有する前記所定の機能部の動作を制限する制御部、
を備えたことを特徴とする携帯端末装置。
【請求項２】
前記ハードウェアスイッチは、前記遮断時に前記所定の機能部に対する電源供給を遮断することを特徴とする請求項１に記載の携帯端末装置。
【請求項３】
前記ハードウェアスイッチは、前記遮断時に前記所定の機能部に対してリセット信号を供給し続けることを特徴とする請求項１または２に記載の携帯端末装置。
【請求項４】
前記ハードウェアスイッチは、前記遮断時に前記所定の機能部に対して前記プロセッサとの間の通信Ｉ／Ｆを遮断することを特徴とする請求項１〜３のいずれか一つに記載の携帯端末装置。
【請求項５】
前記制御部は、自装置が有する動作制限可能な所定の機能部の情報を送信出力し、
前記送信出力の応答として受信した制限対象の機能部の情報に基づき、当該制限対象の機能部を前記ハードウェアスイッチの制御により動作制限することを特徴とする請求項１〜４のいずれか一つに記載の携帯端末装置。
【請求項６】
前記制御部は、近距離無線通信により対向する通信装置との間の通信を行い、前記通信装置への接触の期間中に、自装置が有する所定の機能部の情報の前記送信出力から前記ハードウェアスイッチの制御までの制御を実行することを特徴とする請求項５に記載の携帯端末装置。
【請求項７】
制御部が、所定の制御信号の受信により、プロセッサと所定の機能部との間を接続するハードウェアスイッチに対して遮断の制御を行い、自装置が有する前記所定の機能部の動作を制限する、
ことを特徴とする機能制限制御方法。
【請求項８】
コンピュータに、
所定の制御信号の受信により、プロセッサと所定の機能部との間を接続するハードウェアスイッチに対して遮断の制御を行い、自装置が有する前記所定の機能部の動作を制限する、
処理を実行させることを特徴とする機能制限制御プログラム。
【発明の詳細な説明】
【技術分野】
【０００１】
本発明は、携帯端末が有する所定の機能制限を行う携帯端末装置、機能制限制御方法および機能制限制御プログラムに関する。
【背景技術】
【０００２】
例えば、秘密性の高い制限区域（例えば職場や美術館、演奏会場等）に携帯可能な携帯端末装置を持ち込む場合、携帯端末装置が有する所定の機能（例えば撮影のカメラ機能等）を一時的に機能停止させる必要がある。
【０００３】
このような携帯端末装置が有する所定の機能を制限する技術として、ロックコードの入力で機能実行を禁止する技術がある。また、アプリケーションプログラムが機能の継続の必要性に応じたプログラム停止許可のフラグを有し、携帯端末装置の状態に応じてフラグが停止の場合、プログラム実行を停止させて省電力化する技術がある。また、アプリケーションプログラムに埋め込まれている識別情報と、ＳＩＭカードの識別情報の照合結果が一致しないとき、アプリケーションの一部の機能を制限することでＳＩＭロックに対応した技術がある。また、携帯端末装置が機能制限アプリケーションを有しているかをフラグで格納し、機能制限区域への入場時にフラグをゲートに送信し、ゲート側がフラグの正当性を検証して機能制限に対応していなければ入場許可しない技術がある（例えば、下記特許文献１〜４参照。）。
【先行技術文献】
【特許文献】
【０００４】
【特許文献１】特開２００７−１８９３７４号公報
【特許文献２】特開２００９−１１８５３６号公報
【特許文献３】国際公開第２００８／１２９７７３号
【特許文献４】特開２００７−２６６８６４号公報
【発明の概要】
【発明が解決しようとする課題】
【０００５】
しかしながら、従来技術では、制限区域で携帯端末装置の所定の機能を制限できない場合が生じた。いずれの技術もソフトウェア的に機能制限するものであった。このため、プロセッサが実行するソフトウェアの改ざんや悪意のあるソフトウェアのインストール等で機能制限が不正に解除されるおそれがある。
【０００６】
一つの側面では、本発明は、携帯端末装置の所定の機能を制限でき、不正な制限解除を防ぐことを目的とする。
【課題を解決するための手段】
【０００７】
一つの案では、携帯端末装置は、所定の制御信号の受信により、プロセッサと所定の機能部との間を接続するハードウェアスイッチに対して遮断の制御を行い、自装置が有する前記所定の機能部の動作を制限する制御部、を備えたことを要件とする。
【発明の効果】
【０００８】
一つの実施の形態によれば、携帯端末装置の所定の機能を制限でき、不正な制限解除を防ぐことができる。
【図面の簡単な説明】
【０００９】
【図１】図１は、実施の形態にかかる携帯端末装置と制御装置とを含む機能制限システムの全体構成例を示す図である。
【図２】図２は、実施の形態にかかる携帯端末装置の構成例を示すハードウェアブロック図である。
【図３】図３は、実施の形態にかかる機能制限スイッチのハードウェア構成例を示す図（その１）である。
【図４】図４は、実施の形態にかかる機能制限スイッチのハードウェア構成例を示す図（その２）である。
【図５】図５は、実施の形態にかかる機能制限スイッチのハードウェア構成例を示す図（その３）である。
【図６】図６は、実施の形態にかかる携帯端末装置の機能制限にかかる制御処理例を示すシーケンス図である。
【図７】図７は、ＮＦＣ通信時のＲＥＱＢのフォーマット例を示す図表である。
【図８】図８は、ＮＦＣ通信時のＡＴＱＢのフォーマット例を示す図表である。
【図９】図９は、ＮＦＣ通信時のＡｐｐｌｉｃａｔｉｏｎ  Ｄａｔａのフォーマット例を示す図である。
【図１０】図１０は、ＮＦＣ通信時のＡＴＴＲＩＢのフォーマット例を示す図表である。
【図１１】図１１は、ＮＦＣ通信時のＡＴＴＲＩＢへの応答コマンドのフォーマット例を示す図である。
【図１２】図１２は、携帯端末装置が行う処理例を示すフローチャートである。
【図１３】図１３は、入場用通信装置が行う処理例を示すフローチャートである。
【図１４】図１４は、複数ゲート通過時の機能制限処理を説明する図である。
【発明を実施するための形態】
【００１０】
（実施の形態）
（全体システムの構成例）
図１は、実施の形態にかかる携帯端末装置と制御装置とを含む機能制限システムの全体構成例を示す図である。機能制限システム１００は、携帯端末装置１０１と、入場ゲート１１１と、退場ゲート１２１と、入場用通信装置１１２と、退場用通信装置１２２と、制御装置１３１と、を含む。図１では、携帯端末装置１０１が、機能制限区域１１０に入場ゲート１１１から入場し、退場ゲート１２１から退場可能な一例を示している。
【００１１】
入場ゲート１１１と、退場ゲート１２１と、入場用通信装置１１２と、退場用通信装置１２２は、制御装置１３１に接続されている。制御装置１３１は、機能制限区域１１０の情報を管理し、機能制限区域１１０内に位置している携帯端末装置１０１が有する所定の機能（機能制限区域１１０内で制限が必要な機能）を無効にする制御を行う。この制御装置１３１には、格納部１３２が接続される。
【００１２】
格納部１３２には、予め機能制限区域１１０において無効にすべき携帯端末装置１０１の所定の機能の情報が格納されており、制御装置１３１が読み出し可能である。また、制御装置１３１は、機能制限区域１１０内に位置している携帯端末装置１０１毎の機能の無効／有効の状態を格納部１３２に格納しておくことができる。
【００１３】
例えば、機能制限区域１１０は、カメラ撮影が禁止された美術館であり、この場合、美術館内部での携帯端末装置１０１が有するカメラ機能を禁止するため、格納部１３２には、カメラ機能を制限する情報が格納されている。制限する機能は一つに限らず機能制限区域１１０で制限したい複数の機能（例えば、カメラ、無線通信）を設定することができ、格納部１３２に予め設定しておけばよい。
【００１４】
携帯端末装置１０１は、例えば、携帯電話、スマートフォン、タブレット端末、ＰＣ等であり、近距離無線通信（ＮＦＣ：Ｎｅａｒ  Ｆｉｅｌｄ  Ｃｏｍｍｕｎｉｃａｔｉｏｎ）の機能を有する。また、入場ゲート１１１部分に配置された入場用通信装置１１２と、退場ゲート１２１部分に配置された退場用通信装置１２２についても、ＮＦＣの機能を有する。
【００１５】
入場用通信装置１１２は、入場ゲート１１１を介して機能制限区域１１０にユーザ（携帯端末装置１０１）が入場する際、携帯端末装置１０１を入場用通信装置１１２にタッチする（近接、あるいは接触させる）ことで、携帯端末装置１０１との間でＮＦＣによる相互通信を行う。この際、入場用通信装置１１２は、携帯端末装置１０１と制御装置１３１との間での情報の送受信を仲介する。
【００１６】
同様に、退場用通信装置１２２は、退場ゲート１２１を介して機能制限区域１１０からユーザ（携帯端末装置１０１）が退場する際、携帯端末装置１０１を退場用通信装置１２２にタッチすることで、携帯端末装置１０１との間でＮＦＣによる相互通信を行う。この際、退場用通信装置１２２は、携帯端末装置１０１と制御装置１３１との間での情報の送受信を仲介する。
【００１７】
例えば、入場用通信装置１１２は、入場ゲート１１１の手前（機能制限区域１１０の外部）に配置され、退場用通信装置１２２は、退場ゲート１２１の手前（機能制限区域１１０の内部）に配置される。
【００１８】
携帯端末装置１０１が入場用通信装置１１２にタッチすることで、携帯端末装置１０１は制御装置１３１との間で情報の送受信を行い、機能制限区域１１０で制限された機能（例えばカメラ機能）を無効にした後に、入場ゲート１１１が開放されて入場できる。
【００１９】
入場用通信装置１１２を介した携帯端末装置１０１と制御装置との間で相互にやり取りする情報の詳細は後述するが、簡単に説明しておく。携帯端末装置１０１は、入場用通信装置１１２へのタッチにより、制御装置１３１との間で情報を送受信し、機能制限区域１１０で必要な制限する機能の情報を得る。
【００２０】
この後、携帯端末装置１０１は、該当する機能（例えばカメラ機能）を自装置（携帯端末装置１０１）が有していればこの機能（カメラ機能）の制限（無効化）を行う。この後、携帯端末装置１０１は、機能制限を実行した旨の情報を入場用通信装置１１２を介して制御装置１３１に送信する。制御装置１３１は、携帯端末装置１０１側で機能制限した状態を確認して、入場ゲート１１１に対して開放する制御を行う。これにより、ユーザ（携帯端末装置１０１）は機能制限区域１１０に入場することができる。
【００２１】
そして、実施の形態の携帯端末装置１０１は、制御装置１３１から機能制限の情報を受信すると、ＣＰＵ等のプロセッサを介さずに、直接ハードウェア制御して必要な制限の機能部を無効化する。
【００２２】
一方、携帯端末装置１０１が退場用通信装置１２２にタッチすることで、携帯端末装置１０１は制御装置１３１との間で情報の送受信を行い、機能制限区域１１０で制限されていた機能（例えばカメラ機能）を元に戻す（有効）にし、退場ゲート１２１から退場できる。
【００２３】
（携帯端末装置の構成例）
図２は、実施の形態にかかる携帯端末装置の構成例を示すハードウェアブロック図である。図２には、携帯端末装置１０１が有する各機能のうち、機能制限区域１１０で機能制限に関連する機能（構成）を抽出して記載してある。
【００２４】
携帯端末装置１０１は、プロセッサ２０１と、記憶部２０２と、制御部（ＮＦＣ部）２０３と、センサ２０４と、制限対象の機能部２１１と、機能制限スイッチ２１２と、を含む。
【００２５】
プロセッサ２０１は、ＣＰＵ等を用いて構成することができ、携帯端末装置１０１全体を統括制御する。この実施の形態では、プロセッサ２０１は、制限対象となる機能部２１１にそれぞれ接続され、動作時に情報を入出力する制御を行うが、機能部２１１に対する機能制限の制御（無効化／有効化）には直接関与しない。
【００２６】
記憶部２０２は、ＲＯＭやＲＡＭ、フラッシュメモリ、ＨＤＤ等を用いることができる。例えば、プロセッサ２０１がＲＯＭに格納されたプログラム実行により、機能部２１１の動作時の情報の入出力の制御処理を実行し、この際のワークエリアとしてＲＡＭを用いる。また、フラッシュメモリやＨＤＤ等に機能制限の制御処理に関連する情報（例えばログや携帯端末装置１０１の識別情報）を格納しておくこともできる。これらの情報は、主にＮＦＣ部２０３が機能制限の制御処理のために読み書きする。
【００２７】
センサ２０４は、方位センサや加速度センサ、ＧＰＳセンサ等を用いることができる。例えば、ＧＰＳセンサにより携帯端末装置１０１の現在の位置（機能制限区域１１０内であるか否か等）を検出することができる。
【００２８】
ＮＦＣ部２０３は、上述したＮＦＣの機能を有し、機能制限区域１１０への入場時に入場用通信装置１１２、あるいは退場時に退場用通信装置１２２にタッチすることで、これら入場用通信装置１１２、あるいは退場用通信装置１２２との間で通信を行う。
【００２９】
そして、この実施の形態では、ＮＦＣ部２０３は、制御装置１３１との通信により、制限対象の機能部２１１の情報を得ると、この制限対象の機能部２１１とプロセッサ２０１との間の接続を制御して、機能部２１１とプロセッサ２０１との間の接続を無効にする。無効化の詳細は後述するが、例えば、ＮＦＣ部２０３は、機能部２１１とプロセッサ２０１との間に設けられた機能制限スイッチ２１２を遮断（ＯＦＦ）し、プロセッサ２０１による機能部２１１との間の情報の入出力が行えないようにする。
【００３０】
ＮＦＣ部２０３は、所定のハードウェア回路、あるいは、プロセッサ２０１同様に、プログラム実行により動作するプロセッサを用いて構成することができる。
【００３１】
制限対象の機能部２１１は、機能制限スイッチ（ＳＷ）２１２を介してＣＰＵ２０１に接続されている。図２には、機能制限区域１１０で制限可能機能な機能部２１１の例として、無線部２１１ａ、カメラ部２１１ｂ、オーディオ入出力部２１１ｃ、無線ＬＡＮ部２１１ｄ、タッチパネル２１１ｅ、表示部２１１ｆを示した。
【００３２】
無線部２１１ａは、携帯無線網を介して外部の通信装置と無線通信を行う。カメラ部２１１ｂは、画像撮影を行う。オーディオ入出力部２１１ｃは、音声の入出力（録音、再生など）を行う。無線ＬＡＮ部２１１ｄは、無線ＬＡＮを介して外部の通信装置と無線通信を行う。タッチパネル２１１ｅは、携帯端末装置１０１の操作を行う。表示部２１１ｆは、各種表示情報を画面出力する。
【００３３】
ＮＦＣ部２０３は、機能制限区域１１０毎に設定された機能可能制限の種別に対応して一部あるいは全ての機能部２１１の機能を無効化（停止）させる。すなわち、ＮＦＣ部２０３は、プロセッサ２０１と、各機能部２１１（２１１ａ〜２１１ｆ）との間を接続する機能制限スイッチ２１２（２１２ａ〜２１２ｆ）に対して、機能制限信号Ｓ１を出力してスイッチ制御（ＯＮ／ＯＦＦ）を行う。
【００３４】
機能制限スイッチ２１２（２１２ａ〜２１２ｆ）は、ハードウェアで構成されたハードウェアスイッチであり、プロセッサ２０１の制御を受けるのではなく、ＮＦＣ部２０３によりスイッチ制御される。機能制限信号Ｓ１が「制限有」の場合、スイッチをＯＦＦして機能部２１１の機能を無効化する（機能部２１１とプロセッサ２０１との間を物理的に遮断して情報の入出力ができないようにする）。
【００３５】
一方、機能制限スイッチ２１２（２１２ａ〜２１２ｆ）は、機能制限信号Ｓ１が「制限無」の場合、スイッチをＯＮして機能部２１１の機能を有効にする（機能部２１１とプロセッサ２０１との間を接続して情報の入出力ができるようにする）。
【００３６】
なお、図２では、スイッチ制御のための配線（機能制限信号Ｓ１）はＮＦＣ部２０３から複数の機能制限スイッチ２１２（２１２ａ〜２１２ｆ）に１本の線で記載したが、機能制限スイッチ２１２（２１２ａ〜２１２ｆ）の数分だけ個別に配線してもよい。
【００３７】
（機能制限スイッチの構成例）
図３〜図５は、それぞれ実施の形態にかかる機能制限スイッチのハードウェア構成例を示す図である。図３〜図５にかかる機能制限スイッチの構成は、一つあるいは複数を組み合わせてもよい。
【００３８】
図３は、機能制限スイッチ２１２が機能部２１１に対する動作用の電源供給を制御する構成例である。機能部２１１は、プロセッサ２０１との間でリセット信号（ＲＥＳＥＴ）、Ｉ２Ｃ（Ｉｎｔｅｒ−Ｉｎｔｅｇｒａｔｅｄ  Ｃｉｒｃｕｉｔ）バスやＵＡＲＴ、ＳＤカードインタフェース等の各種の通信Ｉ／Ｆ（接続線）、クロック（ＣＬＯＣＫ）を介して接続されている。
【００３９】
そして、機能部２１１は、動作用の電源ＶＣＣが電源部３０１から供給され、電源部３０１と機能部２１１の電源入力部（端子）との間に機能制限スイッチ２１２としてロードスイッチ３０２が設けられる。このロードスイッチ３０２は、ＮＦＣ部２０３からの機能制限信号Ｓ１が「制限有」の場合、電源供給をスイッチ遮断して、機能部２１１の機能を制限（無効化）する。また、ロードスイッチ３０２は、ＮＦＣ部２０３からの機能制限信号Ｓ１が「制限無」の場合、電源供給をスイッチ接続させ、機能部２１１の機能を制限解除（有効化）する。
【００４０】
図４は、機能制限スイッチ２１２が機能部２１１に対するリセット信号（ＲＥＳＥＴ）を制御する構成例である。機能部２１１は、動作用の電源ＶＣＣが電源部３０１から供給される。プロセッサ２０１と機能部２１１との間に機能制限スイッチ２１２としてアナログスイッチ４０２が設けられる。このアナログスイッチ４０２は、プロセッサ２０１との間でリセット信号とＧＮＤが接続され、機能部２１１に対するリセット信号の出力を制御する。
【００４１】
アナログスイッチ４０２は、ＮＦＣ部２０３からの機能制限信号Ｓ１が「制限有」の場合、プロセッサ２０１の動作にかかわらず、機能部２１１に対してリセット信号を出し続け、機能部２１１の機能を制限（無効化）する。また、アナログスイッチ４０２は、ＮＦＣ部２０３からの機能制限信号Ｓ１が「制限無」の場合、プロセッサ２０１が出力するリセット信号をそのまま機能部２１１に出力させ、機能部２１１の機能を制限解除（有効化）する。
【００４２】
図５は、機能制限スイッチ２１２が機能部２１１に対する通信接続を制御する構成例である。機能部２１１は、動作用の電源ＶＣＣが電源部３０１から供給される。プロセッサ２０１と機能部２１１との間の通信Ｉ／Ｆは、機能制限スイッチ２１２としてのアナログスイッチ５０２によって接続制御される。通信Ｉ／Ｆは、Ｉ２ＣバスやＵＡＲＴ、ＳＤカードインタフェース等各種を用いることができる。
【００４３】
アナログスイッチ５０２は、ＮＦＣ部２０３からの機能制限信号Ｓ１が「制限有」の場合、通信Ｉ／Ｆを遮断し、機能部２１１の機能を制限（無効化）する。また、アナログスイッチ５０２は、ＮＦＣ部２０３からの機能制限信号Ｓ１が「制限無」の場合、プロセッサ２０１と機能部２１１との間の通信Ｉ／Ｆを接続し、機能部２１１の機能を制限解除（有効化）する。
【００４４】
（携帯端末装置の機能制限にかかる制御処理例）
図６は、実施の形態にかかる携帯端末装置の機能制限にかかる制御処理例を示すシーケンス図である。図６には、携帯端末装置１０１と、入場用通信装置１１２と、制御装置１３１と、入場ゲート１１１とを示し、携帯端末装置１０１が機能制限区域１１０に入場する際に携帯端末装置１０１の所定の機能部２１１を機能制限する例を示している。入場ゲート１１１は、ゲート閉鎖状態（ステップＳ６００）である。
【００４５】
また、図６の例では、通信フォーマットはＩＳＯ／ＩＥＣ１４４４３ＴｙｐｅＢ規定に従っている。例えば、携帯端末装置（ＩＳＯ／ＩＥＣ仕様上ＮＩＣＣ）１０１と、入場用通信装置（ＩＳＯ／ＩＥＣ仕様上ＮＣＤ）１１２を相互認識するための各種コマンドとして、ＲＥＱＢ／ＡＴＱＢ／ＡＴＴＲＲＩＢ／ＡＴＴＲＩＢへの応答コマンド、をそれぞれ用いる。
【００４６】
携帯端末装置１０１を入場用通信装置１１２に接触させると（ステップＳ６０１）、入場用通信装置１１２は、ＲＥＱＢ（Ｒｅｑｕｅｓｔ  ｃｏｍｍａｎｄ  Ｔｙｐｅ  Ｂ）を送出する（ステップＳ６０２）。ＲＥＱＢは、入場用通信装置１１２が、動作磁界内の携帯端末装置１０１を検出するコマンドである。
【００４７】
図７は、ＮＦＣ通信時のＲＥＱＢのフォーマット例を示す図表である。ＲＥＱＢコマンド７００の各パラメータは、ＡＰｆ、ＡＦＩ、ＰＡＲＡＭ、ＣＲＣ＿Ｂからなる。ＡＦＩ（Ａｐｐｌｉｃａｔｉｏｎ  Ｆａｍｉｌｙ  Ｉｄｅｎｔｉｆｉｅｒ）を０ｘ３Ａとすることで制限可能な携帯端末装置１０１の識別番号と、携帯端末装置１０１が有している機能（各機能部２１１）の提示を要求する。
【００４８】
携帯端末装置１０１は、入場用通信装置１１２にＲＥＱＢの応答コマンドとしてＡＴＱＢ（Ａｎｓｗｅｒ  ｔｏ  Ｒｅｑｕｅｓｔ  Ｔｙｐｅ  Ｂ）を送出する（ステップＳ６０３）。
【００４９】
図８は、ＮＦＣ通信時のＡＴＱＢのフォーマット例を示す図表である。ＡＴＱＢコマンド８００の各パラメータは、ＡＰａ、ＰＵＰＩ、Ａｐｐｌｉｃａｔｉｏｎ  Ｄａｔａ８０１、Ｐｒｏｔｏｃｏｌ  Ｉｎｆｏ、ＣＲＣ＿Ｂからなる。携帯端末装置１０１は、機能制御信号Ｓ１が「制限無」（機能制限していないとき）は、ＰＩＤ  ｉｎｆｏのＡＤＣ＝００（Ｐｒｏｐｒｉｅｔａｒｙ  ａｐｐｌｉｃａｔｉｏｎ  ｄａｔａ  ｃｏｄｉｎｇ）とする。これにより、携帯端末装置１０１と入場用通信装置１１２との間で独自のＡｐｐｌｉｃａｔｉｏｎ  Ｄａｔａ値を送受信できる状態にする。
【００５０】
図９は、ＮＦＣ通信時のＡｐｐｌｉｃａｔｉｏｎ  Ｄａｔａのフォーマット例を示す図である。図８のＡｐｐｌｉｃａｔｉｏｎ  Ｄａｔａ８０１の設定例を示す。図９に示すように、４バイトを用いて携帯端末装置１０１は、予め制限可能な複数の各機能部２１１の情報（スピーカ、マイク、カメラ部、…等図９相当の情報）を記憶設定している。そして、携帯端末装置１０１は、制限可能な各機能部２１１の情報を入場用通信装置１１２に返答する。
【００５１】
この際、携帯端末装置１０１は、制限可能な機能部２１１に相当するビットを１としたＡｐｐｌｉｃａｔｉｏｎ  Ｄａｔａ８０１を入場用通信装置１１２に返答する。機能制御信号が「制限有」（機能制限しているとき）は、図９に示す該当する機能制限中の機能部２１１に相当するビットを１としたＡｐｐｌｉｃａｔｉｏｎ  Ｄａｔａ８０１を返答する。
【００５２】
入場用通信装置１１２は、携帯端末装置１０１から受信したＡｐｐｌｉｃａｔｉｏｎ  Ｄａｔａ８０１に含まれる制限可能な機能部２１１の情報を制御装置１３１に提示する（ステップＳ６０４）。
【００５３】
制御装置１３１は、予め機能制限区域１１０で制限する機能を記憶している。そして制御装置１３１は、入場用通信装置１１２から受信した制限可能な機能部２１１の情報により、携帯端末装置１０１に対して機能制限可否を判断する（ステップＳ６０５）。制御装置１３１は、この機能制限可否の判断において、機能制限区域１１０で制限する機能が、入場用通信装置１１２から受信した制限可能な機能部２１１の情報に含まれているか否かを判断する。判断結果、含まれている場合には、入場用通信装置１１２に対し、該当する機能制限を指示する（ステップＳ６０６）。
【００５４】
そして、入場用通信装置１１２は、携帯端末装置１０１にＡＴＴＲＩＢのコマンドとしを送出する（ステップＳ６０７）。ＡＴＴＲＩＢは、入場用通信装置１１２が、携帯端末装置１０１に対して、制限／制限解除する機能を通知するコマンドである。
【００５５】
図１０は、ＮＦＣ通信時のＡＴＴＲＩＢのフォーマット例を示す図表である。ＡＴＴＲＩＢコマンド１０００の各パラメータは、‘１Ｄ’、Ｉｄｅｎｔｉｆｉｅｒ（ＰＵＰＩ）、Ｐａｒａｍ１〜４、Ｈｉｇｈｅｒ  ｌａｙｅｒ  Ｉｎｆ．１００１、ＣＲＣ＿Ｂからなる。Ｈｉｇｈｅｒ  ｌａｙｅｒ  Ｉｎｆ．１００１は、図９に示したＡｐｐｌｉｃａｔｉｏｎ  Ｄａｔａ８０１と同じフォーマットを用いる。
【００５６】
そして、入場用通信装置１１２は、制御装置１３１から指示された機能制限の指示に対応して、制限したい機能（例えばカメラ部）のビットを１としたＨｉｇｈｅｒ  ｌａｙｅｒ  Ｉｎｆ．１００１を携帯端末装置１０１に送出する（ステップＳ６０７）。なお、携帯端末装置１０１が退場ゲート１２１から退場する際、機能制限を無効「制限無」に戻す場合には、解除したい制限機能のビットを０としたＨｉｇｈｅｒ  ｌａｙｅｒ  Ｉｎｆ．１００１を携帯端末装置１０１に送出する。
【００５７】
携帯端末装置１０１は、ＮＦＣ部２０３がＡＴＴＲＩＢコマンドを受信し、ＡＴＴＲＩＢコマンドに含まれるＨｉｇｈｅｒ  ｌａｙｅｒ  Ｉｎｆ．１００１のビット情報に基づき、制限したい機能部２１１（例えばカメラ部２１１ｂ）を検出する。そして、ＮＦＣ部２０３は、制限したい機能部２１１に該当する機能制限スイッチ２１２に対し「制限有」の機能制限信号Ｓ１を（変更）出力する（ステップＳ６０８）。
【００５８】
これにより、携帯端末装置１０１は、機能制限区域１１０で機能制限が必要な機能部２１１（例えばカメラ部２１１ｂ）について、プロセッサ２０１との間の接続を切り離し、機能制限する。
【００５９】
この後、携帯端末装置１０１のＮＦＣ部２０３は、ＡＴＴＲＩＢに対する応答を入場用通信装置１１２に送出する（ステップＳ６０９）。
【００６０】
図１１は、ＮＦＣ通信時のＡＴＴＲＩＢへの応答コマンドのフォーマット例を示す図である。ＡＴＴＲＩＢへの応答コマンド１１００は、Ｂｙｔｅ１（ＭＢＬＩ，ＣＩＤ）、Ｂｙｔｅ２〜ｎを用いたＨｉｇｈｅｒ  ｌａｙｅｒ  ｒｅｓｐｏｎｓｅ１１０１、ＣＲＣ＿Ｂからなる。Ｈｉｇｈｅｒ  ｌａｙｅｒ  ｒｅｓｐｏｎｓｅ１１０１は、図９に示したＡｐｐｌｉｃａｔｉｏｎ  Ｄａｔａ８０１と同じフォーマットを用いる。
【００６１】
そして、携帯端末装置１０１は、Ｈｉｇｈｅｒ  ｌａｙｅｒ  ｒｅｓｐｏｎｓｅ１１０１に携帯端末装置１０１を識別するためのＩＤ情報（個体識別番号、例えば携帯電話装置であればＩＭＥＩ）と、通知された機能制限の実施結果（機能制限結果）を格納して入場用通信装置１１２に応答する。
【００６２】
この後、入場用通信装置１１２は、ＡＴＴＲＩＢへの応答コマンドに含まれるＨｉｇｈｅｒ  ｌａｙｅｒ  ｒｅｓｐｏｎｓｅ１１０１の情報から機能制限結果、すなわち、機能制限した携帯端末装置１０１のＩＤ情報（個体識別番号）と、機能制限の実施結果（機能制限結果）とを制御装置１３１に通知する（ステップＳ６１０）。
【００６３】
この後、制御装置１３１は、入場用通信装置１１２から通知された機能制限結果に基づき、機能制限された携帯端末装置１０１の入場を許可するために入場ゲート１１１に対しゲート開放指示を行う（ステップＳ６１１）。
【００６４】
制御装置１３１は、入場した各携帯端末装置１０１について、携帯端末装置１０１のＩＤ情報（個体識別番号）と、機能制限の実施結果（機能制限結果）とを記憶保持することで、他の入場ゲートへの入場や退場ゲート１２１からの退場の状態を逐次管理できる。
【００６５】
以上の処理により、機能制限区域１１０に対する携帯端末装置１０１の入場時に、携帯端末装置１０１が有する機能のうち、機能制限区域１１０で機能制限したい機能部２１１を機能制限させることができるようになる。
【００６６】
上記処理において、携帯端末装置１０１側では、上記の各コマンドの送受信について、プロセッサ２０１が関与せず、ＮＦＣ部２０３が実行している。
【００６７】
（携帯端末装置が行う処理例）
図１２は、携帯端末装置が行う処理例を示すフローチャートである。図１２には、入場時に携帯端末装置１０１のＮＦＣ部２０３が行う入場用通信装置１１２との間の通信処理例を示している。
【００６８】
はじめに、携帯端末装置１０１を入場用通信装置１１２に接触させると（ステップＳ１２０１）、入場用通信装置１１２より、制限可能な機能の要求（ＡＦＩ＝０ｘ３ＡのＲＥＱＢ７００）の受信を待機し（ステップＳ１２０２：Ｎｏのループ）、受信する（ステップＳ１２０２：Ｙｅｓ）。そして、ＮＦＣ部２０３は、携帯端末装置１０１で制限可能な機能に対応したビットを１にしたＡｐｐｌｉｃａｔｉｏｎ  Ｄａｔａ８０１を作成し、要求に対する応答としてＡＴＱＢ８００を入場用通信装置１１２に対し送信する（ステップＳ１２０３）。
【００６９】
この後、ＮＦＣ部２０３は、入場用通信装置１１２から制限する機能の通知（ＡＴＴＲＩＢ１０００）の受信を待機し（ステップＳ１２０４：Ｎｏのループ）、受信する（ステップＳ１２０４：Ｙｅｓ）。この後、ＡＴＴＲＩＢ１０００に含まれるＨｉｇｈｅｒ  ｌａｙｅｒ  Ｉｎｆ．１００１を取り出し、ビットが１（制限する機能）が携帯端末装置１０１で制限可能な機能であるかを判断する（ステップＳ１２０５）。
【００７０】
例えば、携帯端末装置１０１の製造時にＮＦＣチップ内所定の領域（例えば、ＯＴＰ領域）に各機能部２１１別の制限可否の情報を書き込んでおく。そしてＮＦＣ部２０３は、通知された制限する機能の情報をＯＴＰ上の制限可否情報と照合し、ＡＴＴＲＩＢ１０００のＨｉｇｈｅｒ  ｌａｙｅｒ  Ｉｎｆ．１００１で通知された制限機能が制限可能であるか否かを判断できる。
【００７１】
制限可能な機能である場合（ステップＳ１２０５：Ｙｅｓ）、ＮＦＣ部２０３は、機能制限信号Ｓ１を「制限有」とし（ステップＳ１２０６）、機能制限する機能部２１１に対応する機能制限スイッチ２１２を動作させる。制限可能な機能でない場合（ステップＳ１２０５：Ｎｏ）、ＮＦＣ部２０３は、機能制限の制御を行わずに終了する。これにより、入場用通信装置１１２から指示された機能部２１１をプロセッサ２０１の制御にかかわらず、ハードウェア的に機能制限することができる。
【００７２】
この後、ＮＦＣ部２０３は、ＡＴＴＲＩＢ１０００への応答コマンド１１００を入場用通信装置１１２に送信する（ステップＳ１２０７）。この際、ＡＴＴＲＩＢ１０００への応答コマンド１１００のＨｉｇｈｅｒ  ｌａｙｅｒ  ｒｅｓｐｏｎｓｅ１１０１に、機能制限の機能制限結果と、携帯端末装置１０１を識別するための個体識別番号を格納し、ＡＴＴＲＩＢへの応答として送信する。
【００７３】
（入場用通信装置が行う処理例）
図１３は、入場用通信装置が行う処理例を示すフローチャートである。図１３には、携帯端末装置１０１の入場時に入場用通信装置１１２が制御装置１３１と連携して行う携帯端末装置１０１（ＮＦＣ部２０３）との間の通信処理例を主に示している。
【００７４】
はじめに、入場用通信装置１１２に携帯端末装置１０１が接触されると（ステップＳ１３０１）、入場用通信装置１１２は、制限可能な機能の要求（ＡＦＩ＝０ｘ３ＡのＲＥＱＢ７００）を携帯端末装置１０１に送信する（ステップＳ１３０２）。そして、入場用通信装置１１２は、携帯端末装置１０１から要求に対する応答のＡＴＱＢ８００を受信を待機し（ステップＳ１３０３：Ｎｏのループ）、受信する（ステップＳ１３０３：Ｙｅｓ）。
【００７５】
この後、入場用通信装置１１２は、ＡＴＱＢ８００のＡｐｐｌｉｃａｔｉｏｎ  Ｄａｔａ８０１を確認し、入場時に制限すべき機能に対応して、携帯端末装置１０１で制限可能な機能部２１１の機能が全て制限可能である旨のビットが１となっていることを確認する（ステップＳ１３０４）。
【００７６】
制限可能である場合（ステップＳ１３０４：Ｙｅｓ）、入場用通信装置１１２は、制御装置１３１からの機能制限の指示に基づき、制限すべき機能をＨｉｇｈｅｒ  ｌａｙｅｒ  Ｉｎｆ．１００１のｂｉｔを１としたＡＴＴＲＩＢ１０００を携帯端末装置１０１に送信する（ステップＳ１３０５）。制限可能でない場合（ステップＳ１３０４：Ｎｏ）、入場用通信装置１１２は、制限にかかる制御を行わずに終了する。この際、制御装置１３１は、入場ゲート１１１の制御（開放処理）は行わない。この後、入場用通信装置１１２は、携帯端末装置１０１からＡＴＴＲＩＢ１０００に対する応答コマンド１１００の受信を待機し（ステップＳ１３０６：Ｎｏのループ）、受信する（ステップＳ１３０６：Ｙｅｓ）。
【００７７】
この後、入場用通信装置１１２は、携帯端末装置１０１からの応答コマンド１１００の受信により機能制限が有効になったことを確認して、制御装置１３１に通知し、制御装置１３１は、入場ゲート１１１を開放制御する（ステップＳ１３０７）。なお、上記処理において、ＡＴＴＲＩＢの応答コマンド１１００のＩＤ情報を用いて携帯端末装置１０１の入場時の個体識別を行ってよい。
【００７８】
以上説明した処理では、携帯端末装置１０１の入場時の処理について説明したが、携帯端末装置１０１の退場時についても図１２および図１３と同様の処理を用いて処理することができる。この退場には、機能制限区域１１０から退場する携帯端末装置１０１に対する機能制限を「制限有」から「制限無」に戻す処理を行えばよい。
【００７９】
（複数ゲート通過時の機能制限処理について）
上記説明では、一つの機能制限区域１１０に対する携帯端末装置１０１の機能制限について説明した。以下には、複数の異なる機能制限区域１１０ａ、１１０ｂを有する場合の機能制限について説明する。
【００８０】
図１４は、複数ゲート通過時の機能制限処理を説明する図である。図１４（１）の例では、第１の機能制限区域１１０ａ内部にさらに異なる第２の機能制限区域１１０ｂが配置された例である。第１の機能制限区域１１０ａには、入場ゲートＧ１部分の入場用通信装置１１２ａにタッチ（接触等）して入場し、第２の機能制限区域１１０ｂには入場ゲートＧ２部分の入場用通信装置１１２ｂにタッチして入場する。
【００８１】
第２の機能制限区域１１０ｂからの退場は、退場ゲートＧ２部分の退場用通信装置１２２ｂにタッチして退場し、第１の機能制限区域１１０ａからの退場は、退場ゲートＧ１部分の退場用通信装置１２２ａにタッチして退場する。
【００８２】
例えば、機能制限区域１１０ａでは、カメラ、通信の２つの機能を機能制限し、機能制限区域１１０ｂでは、カメラ、通信に加えて、音声の３つの機能を機能制限するものとする。
【００８３】
上記のように、複数の機能制限区域１１０ａ、１１０ｂが設定されている場合においても、上記の処理例（例えば図６のシーケンス、図１２，１３の制御処理）を用いて、機能制限区域１１０ａ、１１０ｂに対応した携帯端末装置１０１の機能制限が行える。
【００８４】
すなわち、携帯端末装置１０１（ＮＦＣ部２０３）は、各通信装置（入場用通信装置１１２ａ〜退場用通信装置１２２ｂ）へのタッチ毎に、いずれもＡＴＱＢコマンド８００を用いて携帯端末装置１０１が有する全ての機能を通知する。また、制御装置１３１は、各通信装置（入場用通信装置１１２ａ〜退場用通信装置１２２ｂ）と連携して現在の携帯端末装置１０１の各機能部２１１に対する機能制限の状態（変化）を記憶しておく。
【００８５】
はじめに、図１４（２）に示すように、携帯端末装置１０１が第１の機能制限区域１１０ａに入場する際には、ＮＦＣ部２０３は、入場用通信装置１１２ａに対し、携帯端末装置１０１が有する機能部２１１を通知する。図示の例では、通知する制限可能な機能としてＡ「カメラ」、Ｂ「通信」、Ｃ「音声」があったとする。この場合、ＮＦＣ部２０３は、Ａｐｐｌｉｃａｔｉｏｎ  Ｄａｔａ８０１の該当ビットを１にして（Ａ，Ｂ，Ｃ＝１）、入場用通信装置１１２ａに通知する。
【００８６】
入場用通信装置１１２ａは、制御装置１３１に設定されている機能制限区域１１０ａで制限する機能がＡ「カメラ」、Ｂ「通信」であったとすると、ＡＴＴＲＩＢコマンド１０００の該当コマンドを１にして（Ａ，Ｂ＝１）、携帯端末装置１０１（ＮＦＣ部２０３）に通知する。これにより、ＮＦＣ部２０３は、Ａ「カメラ」、Ｂ「通信」の機能部２１１に対する機能制限を行う。
【００８７】
次に、図１４（３）に示すように、携帯端末装置１０１が第２の機能制限区域１１０ｂに入場する際においても、ＮＦＣ部２０３は、入場用通信装置１１２ｂに対し、携帯端末装置１０１が有する機能部２１１を通知する。図示のように、通知する制限可能な機能としてＡ「カメラ」、Ｂ「通信」、Ｃ「音声」を再度、入場用通信装置１１２ｂに通知する（Ａ，Ｂ，Ｃ＝１）。
【００８８】
入場用通信装置１１２ｂは、制御装置１３１に設定されている機能制限区域１１０ｂで制限する機能がＡ「カメラ」、Ｂ「通信」、Ｃ「音声」であったとすると、ＡＴＴＲＩＢコマンド１０００の該当コマンドを１にして（Ａ，Ｂ，Ｃ＝１）、携帯端末装置１０１（ＮＦＣ部２０３）に通知する。これにより、ＮＦＣ部２０３は、Ａ「カメラ」、Ｂ「通信」、Ｃ「音声」の機能部２１１に対する機能制限を行う。
【００８９】
次に、図１４（４）に示すように、携帯端末装置１０１が第２の機能制限区域１１０ｂから退場する際においても、ＮＦＣ部２０３は、退場用通信装置１２２ｂに対し、携帯端末装置１０１が有する機能部２１１を通知する。図示のように、通知する制限可能な機能としてＡ「カメラ」、Ｂ「通信」、Ｃ「音声」を再度、退場用通信装置１２２ｂに通知する（Ａ，Ｂ，Ｃ＝１）。
【００９０】
退場用通信装置１２２ｂは、制御装置１３１に設定されている機能制限区域１１０ｂからの退場で制限を解除する機能がＣ「音声」であるため、ＡＴＴＲＩＢコマンド１０００の該当コマンドを０にして（Ｃ＝０）、携帯端末装置１０１（ＮＦＣ部２０３）に通知する。これにより、ＮＦＣ部２０３は、Ｃ「音声」の機能部２１１に対する機能制限を解除する。なお、Ａ「カメラ」、Ｂ「通信」の機能部２１１は継続して機能制限を行う。
【００９１】
次に、図１４（５）に示すように、携帯端末装置１０１が第１の機能制限区域１１０ａから退場する際においても、ＮＦＣ部２０３は、退場用通信装置１２２ａに対し、携帯端末装置１０１が有する機能部２１１を通知する。図示のように、通知する制限可能な機能としてＡ「カメラ」、Ｂ「通信」、Ｃ「音声」を再度、退場用通信装置１２２ａに通知する（Ａ，Ｂ，Ｃ＝１）。
【００９２】
退場用通信装置１２２ａは、制御装置１３１に設定されている機能制限区域１１０ａからの退場で制限を解除する機能がＡ「カメラ」、Ｂ「通信」であるため、ＡＴＴＲＩＢコマンド１０００の該当コマンドを０にして（Ａ，Ｂ＝０）、携帯端末装置１０１（ＮＦＣ部２０３）に通知する。これにより、ＮＦＣ部２０３は、Ａ「カメラ」、Ｂ「通信」の機能部２１１に対する機能制限を解除する。これにより、Ａ「カメラ」、Ｂ「通信」、Ｃ「音声」の機能部２１１の機能制限が解除される。
【００９３】
以上のように、複数の機能制限区域に対する入退場の際においても、携帯端末装置が有する全ての機能を通知し、制御装置側でも制限したい機能と対比することで、携帯端末装置に対し、各機能制限区域で制限したい機能を簡単に判断、および通知できる。この際、機能毎のビット判定で簡単に各機能制限区域毎に制限したい機能を簡単に判断できる。
【００９４】
そして、上述した実施の形態によれば、機能制限区域に入場する際には、制限したい機能部とプロセッサとの間の接続をハードウェアスイッチで遮断する。これにより、プロセッサ処理に関係なく、機能部の動作を制限できるようになる。
【００９５】
また、機能制限区域の入退場時の認証実施と連動して、機能制限の制御を行って入退場ゲートおよび制御装置に通知する。これにより、機能制限が有効（制限有）となれば、すぐに制限対象の機能部をハードウェアスイッチで電気的に遮断できる。この際、機能部に対するプロセッサの制御を無効にできる。
【００９６】
また、機能制限をソフトウェア制御に頼らず実施することができるため、悪意をもったソフトウェアの制御（改ざんや悪意のあるソフトウェアのインストール等）がなされたとしても、プロセッサと機能部とはハードウェアスイッチで切り離される。これにより、悪意をもったユーザ等による機能部の機能制限の迂回（機能制限区域で制限された機能の不正な有効化）を防ぐことができるようになる。
【００９７】
また、機能制限を開始したタイミングで、機能部の制限機能を物理的に切り離せるようになるため、制限中の機能の不正利用ができなくなり、確実に端末の機能を制限できるようになる。これにより、機能制限区域に対する入退場に応じた機能制限の制御を確実に行えるようになる。
【００９８】
実施の形態で説明した携帯端末装置１０１としては、携帯電話装置やスマートフォン、タブレット端末やＰＤＡ等、複数の機能部２１１を備えたものであればよく、いずれの携帯端末装置１０１であっても上記のように機能制限区域で所定の機能を制限できる。
【００９９】
なお、本実施の形態で説明した機能制限制御方法は、予め用意された機能制限制御プログラムをパーソナル・コンピュータやワークステーション等のコンピュータで実行することにより実現することができる。本機能制限制御プログラムは、磁気ディスク、光ディスク、ＵＳＢ（Ｕｎｉｖｅｒｓａｌ  Ｓｅｒｉａｌ  Ｂｕｓ）フラッシュメモリなどのコンピュータで読み取り可能な記録媒体に記録され、コンピュータによって記録媒体から読み出されることによって実行される。また、機能制限制御プログラムは、インターネット等のネットワークを介して配布してもよい。
【０１００】
上述した実施の形態に関し、さらに以下の付記を開示する。
【０１０１】
（付記１）所定の制御信号の受信により、プロセッサと所定の機能部との間を接続するハードウェアスイッチに対して遮断の制御を行い、自装置が有する前記所定の機能部の動作を制限する制御部、
を備えたことを特徴とする携帯端末装置。
【０１０２】
（付記２）前記ハードウェアスイッチは、前記遮断時に前記所定の機能部に対する電源供給を遮断することを特徴とする付記１に記載の携帯端末装置。
【０１０３】
（付記３）前記ハードウェアスイッチは、前記遮断時に前記所定の機能部に対してリセット信号を供給し続けることを特徴とする付記１または２に記載の携帯端末装置。
【０１０４】
（付記４）前記ハードウェアスイッチは、前記遮断時に前記所定の機能部に対して前記プロセッサとの間の通信Ｉ／Ｆを遮断することを特徴とする付記１〜３のいずれか一つに記載の携帯端末装置。
【０１０５】
（付記５）前記制御部は、自装置が有する動作制限可能な所定の機能部の情報を送信出力し、
前記送信出力の応答として受信した制限対象の機能部の情報に基づき、当該制限対象の機能部を前記ハードウェアスイッチの制御により動作制限することを特徴とする付記１〜４のいずれか一つに記載の携帯端末装置。
【０１０６】
（付記６）前記制御部は、近距離無線通信により対向する通信装置との間の通信を行い、前記通信装置への接触の期間中に、自装置が有する所定の機能部の情報の前記送信出力から前記ハードウェアスイッチの制御までの制御を実行することを特徴とする付記５に記載の携帯端末装置。
【０１０７】
（付記７）携帯端末装置が所定の機能制限区域の入退場時に通信装置との間の通信により、前記携帯端末装置が有する所定の機能部の機能を制限する機能制限システムにおいて、
前記携帯端末装置は、
前記通信装置からの所定の制御信号の受信により、プロセッサと所定の機能部との間を接続するハードウェアスイッチに対して遮断の制御を行い、自装置が有する前記所定の機能部の動作を制限する制御部、
を備えたことを特徴とする機能制限制御システム。
【０１０８】
（付記８）
前記通信装置は、前記機能制限区域の情報を管理する制御装置に接続され、
前記制御装置は、前記機能制限区域内で制限したい機能を格納部に記憶し、前記携帯端末装置に対し、前記制限したい機能を通知する、
ことを特徴とする付記７に記載の機能制限制御システム。
【０１０９】
（付記９）制御部が、所定の制御信号の受信により、プロセッサと所定の機能部との間を接続するハードウェアスイッチに対して遮断の制御を行い、自装置が有する前記所定の機能部の動作を制限する、
ことを特徴とする機能制限制御方法。
【０１１０】
（付記１０）コンピュータに、
所定の制御信号の受信により、プロセッサと所定の機能部との間を接続するハードウェアスイッチに対して遮断の制御を行い、自装置が有する前記所定の機能部の動作を制限する、
処理を実行させることを特徴とする機能制限制御プログラム。
【符号の説明】
【０１１１】
１００  機能制限システム
１０１  携帯端末装置
１１０  機能制限区域
１１１  入場ゲート
１１２  入場用通信装置
１２１  退場ゲート
１２２  退場用通信装置
１３１  制御装置
１３２  格納部
２０１  プロセッサ
２０２  記憶部
２０３  ＮＦＣ部
２０４  センサ
２１１  機能部
２１１ａ  無線部
２１１ｂ  カメラ部
２１１ｃ  オーディオ入出力部
２１１ｅ  タッチパネル
２１１ｆ  表示部
２１２（２１２ａ〜２１２ｆ）  機能制限スイッチ
３０１  電源部
３０２  ロードスイッチ
４０２，５０２  アナログスイッチ
【図１】
2016082405.tif 000003
【図２】
2016082405.tif 000004
【図３】
2016082405.tif 000005
【図４】
2016082405.tif 000006
【図５】
2016082405.tif 000007
【図６】
2016082405.tif 000008
【図７】
2016082405.tif 000009
【図８】
2016082405.tif 000010
【図９】
2016082405.tif 000011
【図１０】
2016082405.tif 000012
【図１１】
2016082405.tif 000013
【図１２】
2016082405.tif 000014
【図１３】
2016082405.tif 000015
【図１４】
2016082405.tif 000016